(57)【要約】  【課題】  太陽電池モジュール本体側面に化粧用カバーを容易に固定できると共に、固定できる太陽電池モジュール本体の種類を拡大すること。  【解決手段】  太陽電池モジュール本体１に化粧用カバー４を固定するための固定金具５は取付孔が所定間隔を存して２個開設されて枠体３の側辺３Ｅ、３Ｆに夫々開設された２個の取付孔と共にこれらの取付孔に嵌合するビス１０により前記枠体３に固定される第１取付片５Ａと、該第１取付片５Ａの上端部を外方に折曲して形成され化粧用カバー４の上片４Ａをビス１１により固定するための取付孔が開設された第２取付片５Ｂと、同じく化粧用カバー４の側片４Ｂをビス１２により固定するための取付孔が開設された第３取付片５Ｃと、第１取付片５Ａと第３取付片５Ｃとを連結する連結片５Ｄと、この連結片５Ｄと共に枠体３の鍔３Ｃが挿入される凹部５Ｓを形成すると共に該枠体３の下面を支持するための支持片５Ｅとから構成される。  【選択図】  図４
2005213835.tif 000002
【特許請求の範囲】
【請求項１】
平板状に複数配列された太陽電池パネル周縁部が枠体に覆われて、屋根上へ取付けられる太陽電池モジュールの化粧用カバーの取付け装置において、前記枠体の下面を支持する支持片、前記枠体の側面に固定される側片及び前記化粧用カバーを固定するための取付片を備えた固定部材を設けたことを特徴とする太陽電池モジュールの化粧用カバーの取付け装置。
【請求項２】
平板状に複数配列された太陽電池パネル周縁部が枠体に覆われて、屋根上へ取付けられる太陽電池モジュールの化粧用カバーの取付け装置において、前記枠体の一部が挿入される挿入部、前記枠体の側面に固定される側片及び前記化粧用カバーを固定するための取付片を備えた固定部材を設けたことを特徴とする太陽電池モジュールの化粧用カバーの取付け装置。
【請求項３】
平板状に複数配列された太陽電池パネル周縁部が枠体に覆われて、屋根上へ取付けられる太陽電池モジュールの化粧用カバーの取付け装置において、前記枠体の一部が挿入される挿入部、前記枠体の下面を支持する支持片、前記枠体の側面に固定される側片及び前記化粧用カバーを固定するための取付片を備えた固定部材を設けたことを特徴とする太陽電池モジュールの化粧用カバーの取付け装置。
【請求項４】
前記枠体の側面に前記固定部材の側片をビスにより固定する際に、該ビスの斜め挿入を防止するためのリブを前記枠体の取り付け孔周縁部に形成したことを特徴とする請求項１乃至３のいずれかに記載の太陽電池モジュールの化粧用カバーの取付け装置。
【発明の詳細な説明】
【技術分野】
【０００１】
本発明は、太陽電池モジュールの化粧用カバーの取付け装置に関し、詳述すれば屋根上へ取付けられる太陽電池モジュールの化粧用カバーの取付け装置に関する。
【背景技術】
【０００２】
この化粧用カバーを太陽電池モジュールの枠体（接合部材）に取付ける場合は、太陽電池モジュール本体の少なくとも一部に化粧用カバー（周辺部材）を着脱自在に取付ける方法が提案されているが（例えば、特許文献１参照）、前記枠体に固定される固定金具にビスを介して取付けるのが一般的である。
【特許文献１】特開２００３−２６２０２０号公報
【発明の開示】
【発明が解決しようとする課題】
【０００３】
前記文献に記載されたものと同種のものとして、図８及び図９に示すものがあり、以下説明する。太陽電池モジュール本体２０は平板状に縦横に複数配列された太陽電池セル２１の周縁部が金属製の枠体２２により囲まれて形成されており、太陽電池モジュール本体２０の外観上の美感を向上するために、固定金具２３を介してこの枠体２２に化粧用カバー２４を固定している。即ち、固定金具２３は前記枠体２２の側面２２Ａ及び鍔部２２Ｂにビス２５により固定される側片２３Ａと、この側片２３Ａの上端を外方へ折曲して形成されてビス２６により化粧用カバー２４が固定される上水平片２３Ｂと、前記側片２３Ａの下端を外方へ折曲して形成した下水平片２３Ｃと、この上水平片２３Ｃの外端部を下方へ折曲して形成されてビス２７により化粧用カバー２４が固定される垂直片２３Ｄとから構成される。
【０００４】
しかし、前記化粧用カバー２４を太陽電池モジュール本体２０に固定するための固定金具２３は太陽電池モジュール本体２０の１種類の形状の枠体２２にしか対応できないものであった。
【０００５】
そこで本発明は、太陽電池モジュール本体側面に化粧用カバーを容易に固定できると共に、固定できる太陽電池モジュール本体の種類を拡大することを目的とする。
【課題を解決するための手段】
【０００６】
上記課題を解決するため、第１の発明は、平板状に複数配列された太陽電池パネル周縁部が枠体に覆われて、屋根上へ取付けられる太陽電池モジュールの化粧用カバーの取付け装置において、前記枠体の下面を支持する支持片、前記枠体の側面に固定される側片及び前記化粧用カバーを固定するための取付片を備えた固定部材を設けたことを特徴とする。
【０００７】
第２の発明は、平板状に複数配列された太陽電池パネル周縁部が枠体に覆われて、屋根上へ取付けられる太陽電池モジュールの化粧用カバーの取付け装置において、前記枠体の一部が挿入される挿入部、前記枠体の側面に固定される側片及び前記化粧用カバーを固定するための取付片を備えた固定部材を設けたことを特徴とする。
【０００８】
第３の発明は、平板状に複数配列された太陽電池パネル周縁部が枠体に覆われて、屋根上へ取付けられる太陽電池モジュールの化粧用カバーの取付け装置において、前記枠体の一部が挿入される挿入部、前記枠体の下面を支持する支持片、前記枠体の側面に固定される側片及び前記化粧用カバーを固定するための取付片を備えた固定部材を設けたことを特徴とする。
【０００９】
第４の発明は、第１乃至第３の発明において、前記枠体の側面に前記固定部材の側片をビスにより固定する際に、該ビスの斜め挿入を防止するためのリブを前記枠体の取り付け孔周縁部に形成したことを特徴とする。
【発明の効果】
【００１０】
本発明によれば、太陽電池モジュール本体側面に化粧用カバーを容易に固定できると共に、固定できる太陽電池モジュール本体の種類を拡大することができる。また、第４の発明によれば、枠体に固定部材を固定すべく、固定部材及び枠体にビスを挿入させた際に、斜めにビスを挿入しても当該ビスの先端部がリブに当接することにより、作業者はビスの回転速度が落ちたことを認識でき、斜め挿入を防止することができる。
【発明を実施するための最良の形態】
【００１１】
以下、本発明の実施の形態を図に基づき説明する。先ず、図１に示すように、太陽電池モジュール本体１は、平板状に縦横に複数配列された太陽電池パネル２の周縁部（４辺）が枠体３により囲まれて形成されている。即ち、太陽電池パネル２は平面視矩形状であって、その表面には例えば強化ガラス板などが積層されており、この太陽電池パネル２が複数平板状に配列され、その周縁部は一対の長辺側と一対の短辺側の４つの金属製の枠体３に囲まれている。
【００１２】
このように構成された太陽電池モジュール本体１の外観上の美感を向上するために、前記枠体３に外方から複数の空気流通孔４Ｅを有する化粧用カバー４を固定させる必要があるが、その取付け構造について説明する。図２に示すように、前記太陽電池モジュール本体１の四隅における各角部の近傍位置に各固定金具５を固定する。この固定金具５はアルミニウム製であり、後述するが、前記枠体３の四辺の側面部に数ケ所固定される。
【００１３】
ここで、前記太陽電池モジュール本体１の長辺側（横方向）の前記枠体３にはその下端部に外方に延びた水平板部３Ａと、この水平板部３Ａの外端部を上方へ折曲した垂直板部３Ｂとから成る鍔３Ｃが形成されているが、短辺側（縦方向）の前記枠体３にはこの鍔部３Ｃは形成されていない。従って、長辺側の前記枠体３の断面形状が表れている図３及び図４と、短辺側の前記枠体３の断面形状が表れている図５と示すように、長辺側の前記枠体３と短辺側の前記枠体３とは断面形状が異なる。
【００１４】
即ち、短辺側の前記枠体３は概ね中空角筒状を呈しており、外側面上端部から上方に延びてから内方へ折曲した円筒状のフランジ３Ｄが形成されており、長辺側の前記枠体３も同様にフランジ３Ｄが形成されており、更にこの長辺側の前記枠体３には前述したように鍔部３Ｃが形成されているが、短辺側の前記枠体３にはこの鍔部３Ｃは形成されていない。なお、この鍔部３Ｃはアルミニウムで作製されこの鍔部３Ｃと直交する方向に配設された架台フレーム（図示せず）に固定され、この架台フレームなどを介して屋根の瓦に固定されるものであり、結果として太陽電池モジュール本体１は瓦上に固定されるものである。
【００１５】
次に、図２乃至図５に基づいて、前記固定金具５について説明する。この固定金具５は取付孔が所定間隔を存して２個開設されて前記枠体３の側辺３Ｅ、３Ｆに夫々ビス１０止めにより前記枠体３に固定される第１取付片５Ａと、この第１取付片５Ａの上端部を外方に折曲して形成され化粧用カバー４の上片４Ａをビス１１により固定するための第２取付片５Ｂと、同じく化粧用カバー４の側片４Ｂをビス１２により固定するための第３取付片５Ｃと、前記第１取付片５Ａと第３取付片５Ｃとを連結する連結片５Ｄと、この連結片５Ｄと共に前記枠体３の鍔３Ｃが挿入される凹部５Ｓを形成すると共に該枠体３の下面を支持するための断面Ｌ字形状の支持片５Ｅとから構成される。
【００１６】
なお、前記第２取付片５Ｂ及び第３取付片５Ｃには取付孔が形成されていないが、アルミニウム製で軟らかな素材で作製されているため、ビス１１、１２をネジ込むことにより孔が形成され、ビス１１、１２を止めることができるものである。
【００１７】
そして、前記フランジ３Ｄ、側片３Ｅ及び上片３Ｈとで形成される凹部内に太陽電池パネル２が挿入され、この太陽電池パネル２は枠体３で周縁部が囲まれることとなる。
【００１８】
なお、短辺側の前記枠体３はその下面が前記固定金具５の支持片５Ｅにより支持されるが、長辺側の前記枠体３も同様にその下面が前記固定金具５の支持片５Ｅにより支持されると共に連結片５Ｄと支持片５Ｅとにより形成された凹部５Ｓ内に前記鍔３Ｃが挿入されて支持されることとなる。
【００１９】
従って、短辺側の前記枠体３はその下面が前記固定金具５の支持片５Ｅにより支持されて上下方向が規制されて該短辺側の枠体３への固定金具５の取付時に位置決めが容易となる。また、長辺側の前記枠体３はその下面が前記固定金具５の支持片５Ｅにより支持されて上下方向が規制されると共に凹部５Ｓ内に前記鍔３Ｃが挿入されて連結片５Ｄ及び支持片５Ｅにより支持されて左右方向及び上下方向が規制されて該長辺側の枠体３への固定金具５の取付時に位置決めが容易となる。
【００２０】
前記化粧用カバー４は上片４Ａと側片４Ｂとから概ね断面がＬ字形状を呈するが、前記側片４Ｂの下端部を内方に折曲してわずかの長さを有する折曲片４Ｃを形成し、また上片４Ａの先端部を下方に折曲してわずかの長さを有する折曲片４Ｄを形成する。
【００２１】
従って、化粧用カバー４を固定金具５に固定する場合には、前記第１取付片５Ａを断面がクランク状になるように形成して形成された空間内に前記折曲片４Ｄを挿入した状態にして各ビス１１、１２により固定することができる。
【００２２】
なお、短辺側及び長辺側の前記枠体３は前述したように、概ね中空角筒状を呈しているが、その垂直な側辺３Ｅ、３Ｆに夫々開設された２個の取付孔の開口縁部には夫々内方に延びた円筒状のリブ３Ｇが形成されている。従って、図７に示すように、枠体３に固定金具５の第１取付片５Ａを固定すべく、固定金具５及び枠体３の取付孔にビス１０を嵌合させた際に、斜めにビス１０を挿入しても当該ビス１０の先端部が前記リブ３Ｇに当接することにより、作業者はビス１０の回転速度が落ちたことを認識でき、斜め挿入を防止することができる。
【００２３】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２４】
【図１】太陽電池モジュール本体の平面図である。
【図２】太陽電池モジュールの角部及び固定金具の斜視図である。
【図３】長辺側の太陽電池モジュール及び固定金具の縦断面図である。
【図４】長辺側の太陽電池モジュール、固定金具及び化粧用カバーの縦断面図である。
【図５】短辺側の太陽電池モジュール、固定金具及び化粧用カバーの縦断面図である。
【図６】太陽電池モジュール本体に化粧用カバーを取付けた状態の部分斜視図である。
【図７】長辺側の太陽電池モジュールに固定金具を取付ける際の動作を示す縦断面図である。
【図８】従来の太陽電池モジュールの角部及び固定金具の斜視図である。
【図９】従来の長辺側の太陽電池モジュール、固定金具及び化粧用カバーの縦断面図である。
【符号の説明】
【００２５】
１    太陽電池モジュール本体
２    太陽電池パネル
３    枠体
４    化粧用カバー
５    固定金具
５Ａ  第１取付片
５Ｂ  第２取付片
５Ｃ  第３取付片
５Ｄ  連結片
５Ｅ  支持片
５Ｓ  凹部
【図１】
2005213835.tif 000003
【図２】
2005213835.tif 000004
【図３】
2005213835.tif 000005
【図４】
2005213835.tif 000006
【図５】
2005213835.tif 000007
【図６】
2005213835.tif 000008
【図７】
2005213835.tif 000009
【図８】
2005213835.tif 000010
【図９】
2005213835.tif 000011